(57)【要約】【課題】夜間に報知音や報知メッセージが近隣住戸に対して騒音となることを防止する。【解決手段】共用部装置（ロビーインターホン２）は、制御部２０が検出部２８の検出信号に基づいて周囲照度が所定の閾値よりも高ければ昼間、低ければ夜間と判別し、夜間と判別しているときには昼間と判別しているときよりも可変増幅器Ａ２の増幅度を低下させる。従って、番号キー等の操作に伴う報知音や報知メッセージの音量を昼間に比べて夜間に低下させているので、夜間に報知音や報知メッセージが近隣住戸に対して騒音となることが防止できる。【選択図】        図１
2006222885.tif 000002
【特許請求の範囲】
【請求項１】
集合住宅の共用玄関に設置される共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機とを備える集合住宅用インターホンシステムに用いられる共用部装置であって、前記通信路を介して住戸機との間で通話を行うための通話手段と、前記選択手段の操作を報知するための報知音や各住戸の住人に対する報知メッセージを発する報知音発生手段と、昼間と夜間を判別する判別手段と、判別手段によって夜間と判別されているときに報知音発生手段が発生する報知音や報知メッセージの音量を昼間に比べて低下させる音量調整手段とを備えたことを特徴とする集合住宅用インターホンシステムの共用部装置。
【請求項２】
前記判別手段は時計機能を有し、時刻に応じて昼間と夜間を判別することを特徴とする請求項１記載の集合住宅用インターホンシステムの共用部装置。
【請求項３】
前記判別手段は周囲照度を検出する照度検出機能を有し、検出した周囲照度に応じて昼間と夜間を判別することを特徴とする請求項１記載の集合住宅用インターホンシステムの共用部装置。
【請求項４】
前記判別手段は周囲の音を検出する周囲音検出機能を有し、検出した周囲音の大きさに応じて昼間と夜間を判別することを特徴とする請求項１記載の集合住宅用インターホンシステムの共用部装置。
【請求項５】
前記音量調整手段は、増幅度が可変であって報知音や報知メッセージの電気信号を増幅する可変増幅器を有することを特徴とする請求項１〜４の何れかに記載の集合住宅用インターホンシステムの共用部装置。
【請求項６】
請求項１〜５の何れかに記載した共用部装置と、複数の前記住戸機とを備えたことを特徴とする集合住宅用インターホンシステム。
【発明の詳細な説明】
【技術分野】
【０００１】
本発明は、集合住宅の共用玄関に設置された共用部装置と各住戸にそれぞれ設置される住戸機の何れか１台との間で択一的に通信路を確立して通話可能とする集合住宅用インターホンシステム及び共用部装置に関するものである。
【背景技術】
【０００２】
従来、集合住宅の共用玄関に設置され音声の入出力が可能な共用部装置（ロビーインターホン）と、集合住宅の各住戸にそれぞれ設置され共用部装置とは伝送線路を介して接続されるとともに共用部装置が有する選択手段（テンキーなど）を来訪者が操作することにより選択されると共用部装置との間で通信路を確立する複数台の住戸機（インターホン親機や住宅情報盤など）と、集合住宅の各住戸にそれぞれ設置され住戸機とは通話用の子器接続線を介して接続されるドアホン子器とを備えた集合住宅用インターホンシステムが提供されている（例えば、特許文献１参照）。
【０００３】
ここで共用部装置においては、来訪者がテンキーを操作して住戸番号を入力する際にキー操作を受け付けたことを報知するために報知音（例えば、「ピッ」という操作音）を発するようにしている。あるいは、住戸の住人が帰宅した際に自宅の住戸番号の入力と特定のキー入力を行うことで当該住人宛の報知メッセージ、例えば、集合住宅の管理人が当該住人に届けられた荷物を預かっている旨のメッセージを報知することも可能である。
【特許文献１】特開２００４−８８４１３号公報
【発明の開示】
【発明が解決しようとする課題】
【０００４】
ところで、従来の共用部装置にあっては、一般的に夜間に比べて周囲騒音が大きい昼間でも聞き取れる程度の音量で報知音や報知メッセージを発しているため、相対的に周囲騒音が小さくなる夜間では報知音や報知メッセージの音量が大きすぎて近隣住戸に対する騒音となってしまうことがある。
【０００５】
本発明は上記事情に鑑みて為されたものであり、その目的は、夜間に報知音や報知メッセージが近隣住戸に対して騒音となることを防止した集合住宅用インターホンシステムの共用部装置並びに集合住宅用インターホンシステムを提供することにある。
【課題を解決するための手段】
【０００６】
請求項１の発明は、上記目的を達成するために、集合住宅の共用玄関に設置される共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機とを備える集合住宅用インターホンシステムに用いられる共用部装置であって、前記通信路を介して住戸機との間で通話を行うための通話手段と、前記選択手段の操作を報知するための報知音や各住戸の住人に対する報知メッセージを発する報知音発生手段と、昼間と夜間を判別する判別手段と、判別手段によって夜間と判別されているときに報知音発生手段が発生する報知音や報知メッセージの音量を昼間に比べて低下させる音量調整手段とを備えたことを特徴とする。
【０００７】
請求項２の発明は、請求項１の発明において、前記判別手段は時計機能を有し、時刻に応じて昼間と夜間を判別することを特徴とする。
【０００８】
請求項３の発明は、請求項１の発明において、前記判別手段は周囲照度を検出する照度検出機能を有し、検出した周囲照度に応じて昼間と夜間を判別することを特徴とする。
【０００９】
請求項４の発明は、請求項１の発明において、前記判別手段は周囲の音を検出する周囲音検出機能を有し、検出した周囲音の大きさに応じて昼間と夜間を判別することを特徴とする。
【００１０】
請求項５の発明は、請求項１〜４の何れかの発明において、前記音量調整手段は、増幅度が可変であって報知音や報知メッセージの電気信号を増幅する可変増幅器を有することを特徴とする。
【００１１】
請求項６の発明は、上記目的を達成するために、請求項１〜５の何れかに記載した共用部装置と、複数の前記住戸機とを備えたことを特徴とする。
【発明の効果】
【００１２】
請求項１の発明によれば、判別手段によって昼間と夜間を判別し、夜間と判別されているときに報知音発生手段が発生する報知音や報知メッセージの音量を音量調整手段が昼間に比べて低下させるため、夜間に報知音や報知メッセージが近隣住戸に対して騒音となることを防止できる。
【００１３】
請求項２の発明によれば、請求項１の発明の効果に加えて、天候による明るさの影響を受けずに昼間と夜間の判別が容易に行える。
【００１４】
請求項３の発明によれば、請求項１の発明の効果に加えて、季節による昼間と夜間の長さの変化や時計の誤差などの影響を受けずに昼間と夜間の判別が容易に行える。
【００１５】
請求項４の発明によれば、請求項１の発明の効果に加えて、例え昼間でも周囲騒音が低いときには報知音や報知メッセージの音量を夜間と同様に低下させることにより、報知音や報知メッセージが近隣住戸に対して騒音となることを確実に防止できる。
【００１６】
請求項５の発明によれば、請求項１〜４の何れかの発明の効果に加えて、可変増幅器の増幅度を変えることで報知音や報知メッセージの音量を容易に変化させることができる。
【００１７】
請求項６の発明によれば、請求項１〜５の何れかに記載の共用部装置を備えているため、夜間に報知音や報知メッセージが近隣住戸に対して騒音となることが防止可能な集合住宅用インターホンシステムが提供できる。
【発明を実施するための最良の形態】
【００１８】
以下、図面を参照して本発明の実施形態を詳細に説明する。
【００１９】
本実施形態のシステム構成例を図２に示す。本実施形態では、集合住宅の共用玄関に設置される共用部装置（ロビーインターホン）２と、各住戸にそれぞれ設置される複数台（図示は１台のみ）の住戸機４とを備え、ロビーインターホン２と住戸機４とが伝送線路を介して接続されている。伝送線路は、ロビーインターホン２に接続される幹線Ｌ１と、各住戸機４にそれぞれ接続される住戸別線Ｌ２とを含み、さらに集合住宅の管理人室に設置された警報監視盤１が幹線Ｌ１に接続される。この伝送線路としては、３対以上のペア線をシース内に備える多対ツイストペアケーブルを用いており、図示は省略するがロビーインターホン２と住戸機４との間で音声信号を伝送する通話線Ｌａと、ロビーインターホン２が具備するカメラ２６で撮像された映像信号を伝送する映像線Ｌｂと、ロビーインターホン２が有する選択手段（後述する）により選択された住戸機４を指定する制御信号を伝送する制御線Ｌｃとにそれぞれペア線を用いている。つまり、図示例の伝送線路では３対のペア線を用いている。ここで、映像線Ｌｂを介して伝送される映像信号はロビーインターホン２において周波数変調され、後述するように各住戸機４に設けた映像処理部４３で周波数復調されてモニタ部４５に表示される。
【００２０】
図１に示すようにロビーインターホン２は、音声を入出力するマイクロホン２４ａ及びスピーカ２４ｂと、通話線Ｌａを介して住戸機４から伝送される音声信号を信号処理してスピーカ２４ｂに出力するとともにマイクロホン２４ａから入力する音声信号を信号処理して通話線Ｌａに送出することでハンズフリー通話を実現する通話処理部２５と、来訪者を撮像するカメラ２６と、カメラ２６が出力する映像信号を周波数変調して映像線Ｌｂを介して伝送する映像処理部２７と、住戸番号を指定するための番号キーや呼出釦を有する操作スイッチ部２２と、操作スイッチ部２２で指定された住戸番号等を表示する表示部２３と、周囲照度を検出する検出部２８と、操作スイッチ部２２の操作を報知するための報知音や後述する報知メッセージを生成してスピーカ２４ｂへ出力する報知音生成部２９と、ＣＰＵを主構成要素とし上記各部の動作を制御する制御部２０と、制御部２０と制御線Ｌｃのインタフェースを行う伝送送受信部２１と、マイクロホン２４ａから出力する音声信号を増幅する増幅器Ａ１と、スピーカ２４ｂへ出力する音声信号を増幅する可変増幅器Ａ２とを備えている。つまり、来訪者が選択手段である操作スイッチ部２２の番号キーを操作して訪問先の住戸番号を選択した後に呼出釦を操作すると住戸番号に対応する住戸機２を選択したことになる。その際、番号キーや呼出釦が操作されたことを報知するための報知音（例えば、「ピッ」という操作音）が報知音生成部２９で生成され、生成された報知音が可変増幅器Ａ２で増幅された後にスピーカ２４ｂで鳴動される。ここで、ロビーインターホン２には通話線Ｌａ及び制御線Ｌｃを介して警報監視盤１が接続されており、ロビーインターホン２で選択された住戸番号が制御線Ｌｃを介して警報監視盤１に伝送されると、警報監視盤１が当該住戸番号に対応する住戸機４に対して制御線Ｌｃを介して制御信号（呼出コマンド）を送出する。
【００２１】
検出部２８は光電変換素子若しくは太陽電池を有し、ロビーインターホン２が設置されている共用玄関の周囲照度に応じた検出信号を制御部２０に出力する。制御部２０では、検出部２８の検出信号に基づいて周囲照度が所定の閾値よりも高ければ昼間、低ければ夜間と判別し、夜間と判別しているときには昼間と判別しているときよりも可変増幅器Ａ２の増幅度を低下させる。すなわち、本実施形態においては、制御部２０と検出部２８で判別手段を構成し、可変増幅器Ａ２と制御部２０とで音量調整手段を構成している。
【００２２】
一方、住戸機４は、図３に示すように音声を入出力するマイクロホン４１ａ及びスピーカ４１ｂを備え、マイクロホン４１ａとスピーカ４１ｂとはそれぞれ通話処理部４２に接続されている。また、通話処理部４２には受話側並びに送話側の各伝送経路と２線の通話線Ｌａとを２線４線変換する２線４線変換部（図示せず）が接続されている。通話処理部４２は、通話線Ｌａを介して伝送されてくる音声信号（受話信号）とマイクロホン４１ａから出力される音声信号（送話信号）のレベルを比較することで通話状態（受話状態又は送話状態）を推定し、受話状態と推定したときには送話信号の伝送経路に損失を挿入し、送話状態と推定したときには受話信号の伝送経路に損失を挿入することで受話モードと送話モードを切り換える音声スイッチや、マイクロホン４１ａとスピーカ４１ｂの音響結合によって生じる音響エコーを消去するためのエコーキャンセラなどを具備する。但し、このような音声スイッチやエコーキャンセラは従来周知であるから詳細な構成及び動作の図示並びに説明は省略する。したがって、ロビーインターホン２と住戸機４との間で通話線Ｌａを通して音声信号を授受することができ、来訪者がロビーインターホン２を用いるとともに居住者が住戸機４を用いることによって、来訪者と居住者との間で音声通話が可能となる。
【００２３】
また住戸機４には、住戸別線Ｌ２の通話線Ｌａと映像線Ｌｂをそれぞれ通話信号（受話信号及び送話信号）の伝送経路（以下、「通話路」と呼ぶ。）と映像信号の伝送経路に分離する幹線インタフェース（図示せず）が設けられている。映像信号の伝送経路は映像処理部４３に接続され、通話路は通話処理部４２と子器インタフェース部４４とに択一的に切換接続される。子器インタフェース部４４には子器接続線Ｌ３を介してドアホン子器３が接続される。ドアホン子器３は集合住宅の各住戸の玄関先に配置されるものであってマイクロホン及びスピーカを備え、子器インタフェース部４４はドアホン子器３との通話のための音声双方向増幅回路や通話路を接続するための開閉路回路などを備える。したがって、通話路が子器インタフェース部４４に接続されている状態ではドアホン子器３と住戸機４との間での通話が可能になっている。また、ドアホン子器３にはテレビカメラが設けられ、子器インタフェース部４４では子器接続線Ｌ３を介して伝送される音声信号と映像信号を分離し、分離した映像信号を映像処理部４３に出力してモニタ部４５に表示することができるようになっている。さらにドアホン子器３には呼出釦が設けられ、呼出釦が操作されたときに子器接続線Ｌ３に呼出信号を送出する機能を有し、住戸機４では呼出信号を検出したときに報知音生成部４６で生成された呼出音がスピーカ４１ｂから送出されるようになっている。
【００２４】
住戸機４において、モニタ部４５には液晶表示器が用いられる。映像線Ｌｂを通して住戸機４に入力される映像信号は、幹線インタフェースで平衡−不平衡変換され、さらに増幅器で増幅された後に映像処理部４３において周波数復調される。また、子器接続線Ｌ３を通して住戸機４に入力される映像信号も、子器インタフェース部４４で平衡−不平衡変換され、さらに増幅器で増幅された後に映像処理部４３において周波数復調される。そして、映像処理部４３から出力された映像信号は、モニタ部４５に入力されることによってモニタ部４５の画面に映像を表示する。つまり、ロビーインターホン２やドアホン子器３のカメラにおいて撮像された来訪者の映像が住戸機４のモニタ部４５に表示されるから、住戸内の居住者が来訪者を確認することができるのである。また報知音生成部４６は、ロビーインターホン２やドアホン子器３からの呼出等を報知するための報知音を生成し、生成した報知音をスピーカ４１ｂに出力するとともに当該報知音をバックトーンとして住戸別線Ｌ２又は子器接続線Ｌ３にも出力する。
【００２５】
住戸機４には、ＣＰＵを主構成要素とし内部回路を制御する制御部４０が設けられ、制御部４０には制御線Ｌｃとのインタフェースとなる伝送送受信部４７が接続される。伝送送受信部４７は、制御部４０から出力された制御信号を制御線Ｌｃに送出し、制御線Ｌｃから受信した制御信号を制御部４０に引き渡す機能を有する。また住戸機４には、呼出に応答する際に操作される応答釦４８ｂ等を含む操作スイッチ部４８ａと、操作スイッチ部４８ａの操作に応じた操作入力を制御部４０に入力するスイッチ入力部４８ｂとが設けられる。さらに住戸機４には、住戸内に設置される種々のセキュリティセンサ（火災感知器やガス漏れ感知器など）Ｓと制御部４０とのインタフェースとなるセンサ入力部４９が設けられている。つまり、住戸機４においては、セキュリティセンサＳから火災やガス漏れ等の異常発生を知らせるセンサ信号がセンサ入力部４９を通じて制御部４０に入力されると、制御部４０が報知音生成部４６に対して異常発生を報知するための警報音や警報メッセージを生成させてスピーカ４１ｂから送出させるとともに、伝送送受信部４７から制御線Ｌｃを介して警報監視盤１に異常発生を報知するための制御信号を送信させ、警報監視盤１においても異常発生の警報を行うように構成されている。尚、このように通話機能とセキュリティ機能を有した住戸機４は特に住宅情報盤と呼ばれる。
【００２６】
ところで、住戸別線Ｌ２は幹線Ｌ１から分岐されているため、ロビーインターホン２から警報監視盤１を介して送出された制御信号は制御線Ｌｃに接続されるすべての住戸機４に伝送される。ここに、住戸機４の制御部４０には個別にアドレス（たとえば、住戸番号）が設定されており、ロビーインターホン２においてアドレスを選択することによって、アドレスを指定する制御信号（呼出コマンド）が警報監視盤１から制御線Ｌｃを介して全ての住戸機４に伝送することが可能になっている。住戸機４の制御部４０は、制御信号に含まれるアドレスが自己のアドレスであれば映像処理部４３やモニタ部４５を起動してロビーインターホン２のカメラにおいて撮像された来訪者の映像を住戸機４のモニタ部４５に表示させるとともに、報知音生成部４６に生成させた報知音（呼出音）をスピーカ４１ｂから送出させる。そして、呼出音に応じて居住者が住戸機４の操作スイッチ部４８ａに設けられている応答釦４８ｂ（図２参照）を押操作すれば、制御部４０が通話線Ｌａに接続された通話路を通話処理部４２に接続してロビーインターホン２との間に通信路を確立することにより、ロビーインターホン２と選択された住戸機４との間でのみ通話可能にすることができるとともに、選択された住戸機４でのみカメラで撮像された来訪者をモニタ部４５に表示することが可能になる。尚、ロビーインターホン２において選択された住戸機４がロビーインターホン２との間で通信路を確立している状態は、ロビーインターホン２または住戸機４において適宜の操作釦を用いた通話終了が検出されると終了する。
【００２７】
また、ドアホン子器３の呼出釦が押操作されて子器接続線Ｌ３に呼出信号が送出されると、呼出信号を検出した住戸機４の制御部４０が映像処理部４３やモニタ部４５を起動してドアホン子器３のカメラにおいて撮像された来訪者の映像を住戸機４のモニタ部４５に表示させるとともに、報知音生成部４６に生成させた報知音（呼出音）をスピーカ４１ｂから送出させる。そして、呼出音に応じて居住者が住戸機４の応答釦４８ｂを押操作すれば、制御部４０が通話路を子器インタフェース部１８に接続する状態に切り換えてドアホン子器３との間に通信路を確立することにより、ドアホン子器３と住戸機４との間で通話可能にすることができるとともカメラで撮像された来訪者をモニタ部４５に表示することが可能になる。
【００２８】
警報監視盤１は集合住宅の管理人室に設置されるものであって、図４に示すようにハンドセット（図示せず）を用いて通話するための通話部１４と、住戸機４の住戸番号を入力するための番号キー等を有する操作部１２と、住戸機４における異常発生を報知するための警報音や警報メッセージを生成してスピーカ（図示せず）から送出する警報音生成部１５と、操作部１２で指定された住戸番号等を表示する表示部１３と、ＣＰＵを主構成要素とし上記各部の動作を制御する制御部１０と、制御部１０と制御線Ｌｃのインタフェースを行う伝送送受信部１１と、後述する報知メッセージ等を記憶する記憶部１６とを備え、通話線Ｌａを介して各住戸機４との間で通話並びに一斉放送を行う機能や、制御線Ｌｃを介して住戸機４から伝送される異常発生を報知するための制御信号を受信して警報を発する機能等を有している。例えば、管理人が操作部１２を操作して住戸番号を入力した後に通話部１４のハンドセットをオフフックすると、入力された住戸番号に対応する住戸機４に対して制御部１０が制御信号（呼出コマンド）を生成し、伝送送受信部１１から制御線Ｌｃに送出させ、上述したロビーインターホン２と住戸機４との通話時と同様に、選択された住戸機４と警報監視盤１との間でのみ通話線Ｌａを介した通話が可能となる。尚、一斉放送とは、警報監視盤１から複数台（全て若しくは一部）の住戸機４に対して音声信号を伝送することであって、各住戸への緊急性を有しない連絡や避難誘導などの緊急連絡を目的に行われる。例えば、警報監視盤１から全ての住戸機４に対して一斉放送を行う場合、警報監視盤１から一斉放送の開始を指示する制御信号（一斉放送開始コマンド）が制御線Ｌｃを介して各住戸機４に送信され、この制御信号を受信した各住戸機４では、一斉放送開始コマンドに応じて制御部４０が通話線Ｌａに接続された通話路を通話処理部４２に接続することで警報監視盤１との間に通信路が確立され、警報監視盤１から送出される一斉放送の音声信号が通話線Ｌａを介して各住戸機４に伝送され、スピーカ４１ｂから一斉放送の音声が送出される。
【００２９】
また警報監視盤１の記憶部１６には、管理人がハンドセットを用いて入力した報知メッセージ等が記憶される。例えば、管理人が住戸人の留守中に住戸人宛の荷物を預かった場合に当該住戸人の住戸番号と荷物を預かっている旨のメッセージを記憶部１６に記憶しておき、当該住戸人が帰宅してロビーインターホン２の操作スイッチ部２２で自宅の住戸番号と所定のキー（例えば、「＊」）を入力したときに警報監視盤１の制御部１０が記憶部１６に記憶している報知メッセージを読み出して通話線Ｌａを介してロビーインターホン２に伝送し、ロビーインターホン２のスピーカ２４ｂからその報知メッセージが送出されて住戸人に荷物を預かっている旨のメッセージを伝えることができる。尚、住戸人の不在時に宅配業者が荷物を収納しておくための所謂宅配ボックスシステムが設置されている場合、宅配ボックスシステムで宅配業者が入力した配達先の住戸番号を警報監視盤１に伝送して自動的に上記メッセージを記憶部１６に記憶するようにすることも可能である。
【００３０】
次に、本発明の要旨であるロビーインターホン２の動作を、図５のフローチャートを参照して説明する。
【００３１】
制御部２０は、検出部２８の検出信号を取り込み（ステップ１）、取り込んだ検出信号に基づいて昼間と夜間を判別し（ステップ２）、昼間と判別した場合は可変増幅器Ａ２の増幅度を相対的に高い値に設定し（ステップ３）、夜間と判別した場合は可変増幅器Ａ２の増幅度を相対的に低い値に設定する（ステップ４）。そして、制御部２０は操作スイッチ部２２の番号キー等が操作されたか否かを監視し（ステップ５）、番号キー等が操作されたら報知音生成部２９で生成される報知音を可変増幅器Ａ２で増幅した後にスピーカ２４ｂで鳴動させる（ステップ６）。さらに制御部２０は、住戸番号の後に所定のキー（例えば、「＊」）が操作された場合、警報監視盤１に対して当該住戸番号に対する報知メッセージの有無を問い合わせるための制御信号を伝送送受信部２１から制御線Ｌｃに送出させて警報監視盤１からの応答を待つ（ステップ７）。警報監視盤１から報知メッセージがある旨の制御信号が返送されれば、制御部２０は警報監視盤１との間に通話線Ｌａを介した通信路を形成し、警報監視盤１から伝送される報知メッセージの音声信号を通話処理部２５に入力して当該報知メッセージを可変増幅器Ａ２で増幅した後にスピーカ２４ｂで鳴動させる（ステップ８）。
【００３２】
上述のように本実施形態の共用部装置（ロビーインターホン２）では、制御部２０が検出部２８の検出信号に基づいて周囲照度が所定の閾値よりも高ければ昼間、低ければ夜間と判別し、夜間と判別しているときには昼間と判別しているときよりも可変増幅器Ａ２の増幅度を低下させ、番号キー等の操作に伴う報知音や報知メッセージの音量を昼間に比べて夜間に低下させているので、夜間に報知音や報知メッセージが近隣住戸に対して騒音となることが防止できるものである。
【００３３】
ところで、本実施形態では周囲照度に基づいて昼間と夜間を判別しているが、ロビーインターホン２の制御部２０に現在時刻をカウントする時計機能を持たせ、時刻に応じて昼間と夜間を判別するようにしても構わない。例えば、立地条件や天候等によってロビーインターホン２が設置された共用玄関が昼間でも暗い場合、周囲照度に基づくと昼間と夜間を誤判別する可能性があるが、時刻に基づく判別であれば、天候等による明るさの影響を受けずに昼間と夜間の判別が容易に行える。但し、時刻に基づく判別では、季節による昼間と夜間の長さの変化や時計の誤差などの影響を受ける可能性があるが、周囲照度に基づく判別であればそれらの影響を受けずに昼間と夜間の判別が容易に行えるという利点がある。また、非通話時にマイクロホン２４ａで集音した音（周囲音）のレベルを制御部２０において基準値と比較し、周囲音のレベルが基準値を超えていれば昼間と判別して可変増幅器Ａ２の増幅度を大きい値に設定し、周囲音のレベルが基準値を下回っていれば夜間と判別して可変増幅器Ａ２の増幅度を小さい値に設定するようにしても構わない。つまり、一般的に夜間に比べて昼間の方が周囲音（周囲騒音）が大きいと考えられるので、共用玄関の周囲音の大きさに応じて昼間と夜間を判別することができるものである。しかも、周囲音の大きさで昼間と夜間を判別する場合、例え昼間でも周囲騒音が低いときには報知音や報知メッセージの音量を夜間と同様に低下させることができるから、報知音や報知メッセージが近隣住戸に対して騒音となることを確実に防止できるという利点がある。
【図面の簡単な説明】
【００３４】
【図１】本発明に係る共用部装置（ロビーインターホン）の実施形態を示すブロック図である。
【図２】本発明に係る集合住宅用インターホンシステムの実施形態を示すシステム構成図である。
【図３】同上における住戸機のブロック図である。
【図４】同上における警報監視盤のブロック図である。
【図５】同上の共用部装置の動作を説明するためのフローチャートである。
【符号の説明】
【００３５】
２  ロビーインターホン（共用部装置）
２０  制御部
２１  伝送送受信部
２４ｂ  スピーカ
２８  検出部
２９  報知音生成部
Ａ２  可変増幅器
【図１】
2006222885.tif 000003
【図２】
2006222885.tif 000004
【図３】
2006222885.tif 000005
【図４】
2006222885.tif 000006
【図５】
2006222885.tif 000007